(57)【要約】【課題】主電源スイッチの視認性・操作性を保ちつつ、主電源スイッチが不用意に操作されて突然電源が落ちることを防止する。【解決手段】医療用カート１１は、キャスタ１２を備えたボトムパネル１３、ボトムパネル１３に固定され、上方に向けて配設された支柱１４、１５、支柱１４、１５に固定されたトップパネル１６、第１及び第２ミドルパネル１７、１８から構成される。トップパネル１６には、その前端辺に沿うように長孔３１が形成されている。トップパネル１６の前端辺は、長孔３１に手を挿入して把持する移動用ハンドル３２として機能する。長孔３１内には、前方向かって右奥に、主電源スイッチ３３が配置されている。主電源スイッチ３３は、医療用カート１１に載置されるプロセッサ装置２０に接続され、システム全体の電源を統括的にオンオフする。移動用ハンドル３２には、主電源スイッチ３３を視認させるための窓３４が形成されている。【選択図】図１
2009189547.tif 000002
【特許請求の範囲】
【請求項１】
医療用装置が載置される医療用カートにおいて、
複数のパネルと、
いずれか１つの前記パネルの前端辺に設けられた、前記医療用装置の主電源スイッチと、
前記主電源スイッチを覆うように設けられ、前記主電源スイッチを視認させる窓が前記主電源スイッチに対面する位置に形成された移動用ハンドルとを備えたことを特徴とする医療用カート。
【請求項２】
前記窓は、透明材料で構成されたことを特徴とする請求項１記載の医療用カート。
【請求項３】
前記主電源スイッチは、最上段の前記パネルに設けたことを特徴とする請求項１又は２記載の医療用カート。
【請求項４】
医療用装置が載置される医療用カートにおいて、
複数のパネルと、
いずれか１つの前記パネルの前端辺に設けられた、前記医療用装置の主電源スイッチと、
前記主電源スイッチを覆うように設けられ、前記主電源スイッチを視認させる透明材料で構成された移動用ハンドルとを備えたことを特徴とする医療用カート。
【請求項５】
前記主電源スイッチは、最上段の前記パネルに設けたことを特徴とする請求項４記載の医療用カート。
【発明の詳細な説明】
【技術分野】
【０００１】
本発明は、医療用装置が載置される医療用カートに関する。
【背景技術】
【０００２】
医療現場で使用される電子内視鏡（以下、「内視鏡」という。）は、適宜場所を移動させて使用するために、モニタ、プロセッサ装置などの電子機器とともに医療用カートに載置される（例えば、特許文献１、２参照）。医療用カートには、内視鏡その他の電子機器にそれぞれ設けられた電源スイッチとは別に、これらの電源を統括的にオンオフする主電源スイッチが設けられている。従来、主電源スイッチは、医療用カート１００の正面図である図４に示すように、トップパネル１０１の上面右奥ＳＷ１、右フレーム１０２の前端辺ＳＷ２、トップパネル１０１の前端辺ＳＷ３、モニタ台１０３の直下ＳＷ４などに配置されていた。なお、説明の都合上、ＳＷ１〜ＳＷ４をまとめて図示した。
【特許文献１】特開２００４−２２３１５６号公報
【特許文献２】特開２００６−０５５２９５号公報
【発明の開示】
【発明が解決しようとする課題】
【０００３】
主電源スイッチには、その所在が分からずまごついたり、手を伸ばして操作したりすることなどがないように、視認性・操作性が良好であることが求められる。また、使用中に不用意に操作されて突然電源が落ちることのないこと（不用意な操作に対する耐性）も要求される。
【０００４】
しかしながら、図４に示す従来の配置例では、主電源スイッチを右フレーム１０２の前端辺ＳＷ２、トップパネル１０１の前端辺ＳＷ３、あるいはモニタ台１０３の直下ＳＷ４に配置した場合には、視認性・操作性に優れており使い勝手がよいが、不用意な操作に対する耐性がない。また、トップパネル１０１の上面右奥ＳＷ１に配置した場合には、不用意な操作に対する耐性はあるが、視認性・操作性が非常に悪い。
【０００５】
本発明は、上記課題を鑑みてなされたものであり、主電源スイッチの視認性・操作性を保ちつつ、主電源スイッチが不用意に操作されて突然電源が落ちることを防止した医療用カートを提供することを目的とする。
【課題を解決するための手段】
【０００６】
上記目的を達成するために、本発明の医療用カートは、医療用装置が載置される医療用カートであって、複数のパネルと、いずれか１つのパネルの前端辺に設けられた、医療用装置の主電源スイッチと、主電源スイッチを覆うように設けられ、主電源スイッチを視認させる窓が主電源スイッチに対面する位置に形成された移動用ハンドル、あるいは、主電源スイッチを覆うように設けられ、主電源スイッチを視認させる透明材料で構成された移動用ハンドルとを備えている。
【０００７】
なお、移動用ハンドルに窓が形成されている場合、その窓は、透明材料で構成されていることが好ましい。また、主電源スイッチは、最上段のパネルに設けられていることが好ましい。
【発明の効果】
【０００８】
本発明の医療用カートによれば、主電源スイッチを覆うように設けられた移動用ハンドルに主電源スイッチを視認させる窓が形成されている、あるいは、主電源スイッチを覆うように設けられた移動用ハンドルが透明材料で構成されているので、主電源スイッチの視認性・操作性を保ちつつ、不用意に操作されて突然電源が落ちることが防止できる。
【発明を実施するための最良の形態】
【０００９】
［第１実施形態］
図１及び図２に示すように、本発明の第１実施形態の医療用カート１１は、四隅にキャスタ１２を備えた略矩形状のボトムパネル１３と、ボトムパネル１３の両側辺奥側に固定され、上方に向けて配設された支柱１４、１５と、支柱１４、１５の上端部に、両側辺奥側で固定された略矩形状のトップパネル１６と、トップパネル１６およびボトムパネル１３の間を仕切るように支柱１４、１５の中間部に、両側辺奥側で固定された略矩形状の第１及び第２ミドルパネル１７、１８とから構成される。
【００１０】
各キャスタ１２には、その回転を禁止するためのストップレバー１９がそれぞれ設けられている。ストップレバー１９が上がった状態ではキャスタ１２の回転は不能となり、ストップレバー１９が下がった状態ではキャスタ１２の回転は可能となる。
【００１１】
各パネル１３、１７、１８は、その上面に医療用装置などを載置するパネルであり、図２に示す例では、第１ミドルパネル１７の上面にプロセッサ装置２０および光源装置２１が載置されている。プロセッサ装置２０は、内視鏡２２で撮影された医用画像を取り込んで、その画像をモニタ２３に出力する。光源装置２１は、撮影のための照明光を内視鏡２２に供給する。
【００１２】
内視鏡２２は、患者の体腔内に挿入される挿入部２４と、挿入部２４の基端部分に連設された操作部２５と、操作部２５に設けられ、プロセッサ装置２０に接続するコード２６とから構成される。内視鏡２２を医療用カート１１に収納する場合には、右側の支柱１４の上端に取り付けられたハンガー２７に操作部２５をぶら下げるとともに、トップパネル１６の右側辺に固定されたホルダー２８に挿入部２４の付け根を引っ掛け、さらにボトムパネル１３の右側辺に配置されたコップ形状のスコープ受け２９に挿入部２４の先端部を収容させる。
【００１３】
モニタ２３は、左側の支柱１５の上端に取り付けられたスタンド３０に固定され、スタンド３０及び支柱１５内の配線を介してプロセッサ装置２０に接続されている。モニタ２３には、プロセッサ装置２０から出力された医用画像が表示される。
【００１４】
トップパネル１６には、その前端辺に沿うように約５０ｍｍ程度の幅を有する長孔３１が形成されている。トップパネル１６の前端辺は、長孔３１に手を挿入して把持する移動用ハンドル３２として機能し、医療用カート１１を手押しして移動させるために用いられる。ストップレバー１９が下がった状態で移動用ハンドル３２を把持して医療用カート１１を手押しすることで、医療用カート１１を移動させることができる。なお、移動用ハンドル３２は、不透明材料で作られている。
【００１５】
長孔３１内には、前方向かって右奥に、主電源スイッチ３３が配置されている。主電源スイッチ３３は、トップパネル１６、および支柱１４又は１５内の配線を介してプロセッサ装置２０に接続されている。プロセッサ装置２０には、アイソレーショントランス（図示せず）が内蔵されていて、内視鏡２２、モニタ２３、光源装置２１などのシステム全体に電源を分配している。主電源スイッチ３３は、押しボタン式になっており、押圧されるとその状態が保持されてシステム全体の電源がオンし、電源オンの状態で押圧されると押圧状態が解除されてシステム全体の電源がオフする。主電源スイッチ３３は、その押圧面が長孔３１の内周面よりも奥まって配置されており、移動用ハンドル３２を把持する際に不用意に主電源スイッチ３３が操作されることが防止されている。主電源スイッチ３３には、ＬＥＤが内蔵されていて、電源オンのときにＬＥＤが点灯し、電源オフのときにＬＥＤが消灯する表示機能が付いている。
【００１６】
移動用ハンドル３２には、前方向かって右側に、水平方向に貫通する窓３４が形成されている。窓３４は、主電源スイッチ３３と対面する位置に形成されており、トップパネル１６を前方から視認した場合、窓３４越しに主電源スイッチ３３を視認することが可能となっている。
【００１７】
以上説明したように、内視鏡２２を含むシステム全体の電源を統括的にオンオフするための主電源スイッチ３３が、移動用ハンドル３２に覆われるように配置されているので、内視鏡２２の使用中に不用意に操作されて突然電源が落ちることが防止されている。その一方で、主電源スイッチ３３が医療用カート１１の前方に配置され、また、移動用ハンドル３２には、主電源スイッチ３３を視認するための窓３４が形成されているので、主電源スイッチ３３の視認性は良好であり、主電源スイッチ３３の位置を確認することが容易である。また、窓３４越しに主電源スイッチ３３を視認しない場合であっても、窓３４を目印に主電源スイッチ３３の位置を確認することも可能である。
【００１８】
また、主電源スイッチ３３が移動用ハンドル３２に覆われるように配置されているので、前方から飛散した水が主電源スイッチ３３にかかることが防止されている。すなわち、主電源スイッチ３３が水により短絡してシステムが故障する可能性が低減されている。
【００１９】
なお、上記実施形態において、移動用ハンドル３２に形成された窓３４は貫通しているが、窓３４越しに主電源スイッチ３３を視認させることができればよく、例えば、窓３４を透明材料（例えば、ポリカーボネート、ＰＥＴ、ＰＥＳなどの透明な樹脂。耐薬品性があればなお可。）で塞ぐ構成としてもよい。また、移動用ハンドル３２と主電源スイッチ３３とが所定の距離を有しているので、その距離の分の視認性を埋めるために、窓３４を塞ぐ透明材料を拡大レンズとしてもよい。
【００２０】
［第２実施形態］
移動用ハンドルは、透明材料で作られている。この透明材料は、主電源スイッチ３３が視認可能な透明性があればよい。
【００２１】
図３に示すように、医療用カート３５を構成するトップパネル３６は、略矩形状のメインパネル３７と、メインパネル３７の周囲を囲うように設けられた、透明材料（例えば、ポリカーボネート、ＰＥＴ、ＰＥＳなどの透明な樹脂。耐薬品性があればなお可。）からなるフレーム３８とから構成されている。フレーム３８には、第１実施形態の長孔３１と同様の、トップパネル３６の前端辺に沿うように約５０ｍｍ程度の幅を有する長孔３９が形成されている。トップパネル３６の前端辺は、第１実施形態の移動用ハンドル３２と同様に、移動用ハンドル４０として機能する。
【００２２】
長孔３９内には、前方向かって右奥に、主電源スイッチ３３が長孔３９の内周面よりも奥まって配置されている。トップパネル３６を前方から視認した場合、透明な移動用ハンドル４０越しに主電源スイッチ３３を視認することが可能となっている。
【００２３】
以上説明したように、第２実施形態の医療用カート３５によれば、主電源スイッチ３３の前方に配置した移動用ハンドル４０を、透明材料で構成したから、第１実施形態の医療用カート１１の場合と異なり、真正面からでなくとも、斜め正面から視認したとしても主電源スイッチ３３の位置を確認することが可能である。また、第１実施形態の医療用カート１１のような窓は不要であり、窓を作る手間がかからない。なお、上記第１実施形態と同様の構成および作用については、図面に符号を付すなどして詳しい説明を省略するとともに、図２のような使用状態を示す図は省略する。また、第１実施形態と同様に、主電源スイッチ３３と対面するところに拡大レンズを嵌め込んでもよい。
【００２４】
なお、上記各実施形態では、主電源スイッチ３３は、プロセッサ装置２０に接続されているとともに、プロセッサ装置２０にアイソレーショントランスが内蔵されていて、プロセッサ装置２０を介して内視鏡２２、モニタ２３などのシステム全体に接続されている場合を例に説明したが、アイソレーショントランスをプロセッサ装置２０とは別に設け、主電源スイッチ３３を、実質的にアイソレーショントランスの電源をオンオフしてもよい。
【００２５】
また、上記各実施形態では、医療用カート１１、３５に内視鏡２２、プロセッサ装置２０、光源装置２１、及びモニタ２３を装備した場合を例に説明したが、これに限定されることはなく、その他の医療用装置、例えば超音波プローブ、それに用いるプロセッサ装置、処置具用の駆動装置などを装備する構成にしてもよい。
【００２６】
また、上記各実施形態で示した医療用カート１１、３５は一例にすぎず、本発明の趣旨を逸脱しなければ、如何様な態様にも適宜変更することができる。
【図面の簡単な説明】
【００２７】
【図１】第１実施形態の医療用カートの外観斜視図である。
【図２】第１実施形態の医療用カートの使用状態を示す外観斜視図である。
【図３】第２実施形態の医療用カートの外観斜視図である。
【図４】従来の医療用カートの正面図である。
【符号の説明】
【００２８】
１１、３５、１００  医療用カート
１３  ボトムパネル
１６、３６、１０１  トップパネル
１７  第１ミドルパネル
１８  第２ミドルパネル
２０  プロセッサ装置
２１  光源装置
２２  内視鏡
２３  モニタ
３１、３９  長孔
３２、４０  移動用ハンドル
３３  主電源スイッチ
３４  窓
３７  メインパネル
３８  フレーム
【図１】
2009189547.tif 000003
【図２】
2009189547.tif 000004
【図３】
2009189547.tif 000005
【図４】
2009189547.tif 000006